(57)【要約】【課題】トナーの収容室を封止するトナーシール部材を装置外部へ引き抜くための開口部を、部品点数を増やさず、組立てが容易で、トナーシール部材の引き抜き力を抑え、かつ、トナー封止機能を損なうことなく構成する。【解決手段】磁気シール部材１０ｉにより発生される磁力によって磁性トナーを担持させることで、トナーシール開口部１０ｊから現像装置１０外部への磁性トナーの移動を抑制するように、トナーシール開口部１０ｊは、磁気シール部材１０ｉの洩れ防止面１０ｉ４、及び現像枠体１０ｂの開口形成部１０ｂ２で構成されている。【選択図】図４
2011227297.tif 000002
【特許請求の範囲】
【請求項１】
電子写真感光体に形成された静電潜像を現像するための磁性トナーを担持する現像剤担持体と、
磁性トナーを収容する第１収容室、及び、前記第１収容室から磁性トナーが供給される第２収容室であって前記第１収容室から供給された磁性トナーを前記現像剤担持体に担持させるために収容しておく第２収容室を有する現像枠体であって、前記現像剤担持体が回転可能に配設される現像枠体と、
前記現像剤担持体の長手方向両端部の外周面に対してそれぞれ隙間を介して前記現像枠体に取り付けられる一対の磁気シール部材であって、前記隙間に磁性トナーを担持するための磁力を発生させる一対の磁気シール部材と、
を有し、
前記第１収容室には、前記第１収容室内の磁性トナーを前記第２収容室に供給するための第１開口部、及び、未使用時に前記第１開口部を覆うように配置され前記第１開口部を封止するトナーシール部材であって、使用開始時に引き抜かれて前記第１開口部を開放するトナーシール部材が設けられ、
使用開始時に引き抜かれる前記トナーシール部材が通る第２開口部であって、未使用時には前記トナーシール部材の一部を現像装置外部に引き出しておくための第２開口部を有する現像装置において、
前記磁気シール部材により発生される磁力によって磁性トナーを担持させることで、前記第２開口部から前記現像装置外部への磁性トナーの移動を抑制するように、
前記第２開口部は、前記磁気シール部材の一部、及び前記現像枠体の一部で構成されていることを特徴とする現像装置。
【請求項２】
前記第２開口部を構成する前記磁気シール部材の一部、及び前記現像枠体の一部のうち少なくともいずれか一方には、前記トナーシール部材が引き抜かれる際に、前記トナーシール部材に付着している磁性トナーを掻き落とす凸部が設けられていることを特徴とする請求項１に記載の現像装置。
【請求項３】
前記凸部は、
前記トナーシール部材が引き抜かれる際に、
前記トナーシール部材の被覆面であって、未使用時に前記第１開口部を覆い前記第１収容室内に磁性トナーを封止する被覆面に当接するように構成されていることを特徴とする請求項２に記載の現像装置。
【請求項４】
前記凸部は、
前記トナーシール部材が引き抜かれる際に、
前記トナーシール部材の前記被覆面の全域と当接するように構成されていることを特徴とする請求項３に記載の現像装置。
【請求項５】
前記第２開口部を構成する前記磁気シール部材の一部、及び前記現像枠体の一部のうち他方には、前記凸部が進入する凹部が設けられていることを特徴とする請求項２乃至４のいずれか１項に記載の現像装置。
【請求項６】
電子写真感光体に形成された静電潜像を現像するための磁性トナーを担持する現像剤担持体と、
磁性トナーを収容する第１収容室、及び、前記現像剤担持体が回転可能に配設され前記第１収容室から磁性トナーが供給される第２収容室を有する現像枠体と、
前記現像剤担持体の長手方向両端部の外周面に対してそれぞれ隙間を介して前記現像枠体に取り付けられる一対の磁気シール部材であって、前記隙間に磁性トナーを担持するた
めの磁力を発生させる一対の磁気シール部材と、
を有し、
前記第１収容室には、前記第１収容室内の磁性トナーを前記第２収容室に供給するための第１開口部、及び、未使用時に前記第１開口部を覆うように配置され前記第１開口部を封止するトナーシール部材であって、使用開始時に引き抜かれて前記第１開口部を開放するトナーシール部材が設けられ、
使用開始時に引き抜かれる前記トナーシール部材が通る第２開口部であって、未使用時には前記トナーシール部材の一部を現像装置外部に引き出しておくための第２開口部を有する現像装置において、
前記磁気シール部材により発生される磁力によって磁性トナーを担持させることで、前記第２開口部から前記現像装置外部への磁性トナーの移動を抑制するように、
前記第２開口部は、前記磁気シール部材に配設されていることを特徴とする現像装置。
【請求項７】
前記トナーシール部材は帯状のシート部材であり、
未使用時において、
前記第１開口部のうち、前記現像枠体の長手方向における前記第２開口部が配置されている側の端部に、前記トナーシール部材の長手方向の一端が配置されるとともに、前記第１開口部のうち、前記現像枠体の長手方向における前記第２開口部が配置されている側とは反対側の端部に、前記トナーシール部材の長手方向の中間部が配置されることで前記第１開口部が封止され、
前記トナーシール部材は、前記中間部で折り返されることで、前記トナーシール部材の長手方向の他端が前記第２開口部から引き出されていることを特徴とする請求項１乃至６のいずれか１項に記載の現像装置。
【発明の詳細な説明】
【技術分野】
【０００１】
本発明は、電子写真感光体上に形成された静電潜像を現像するための現像装置に関するものである。
【背景技術】
【０００２】
従来、電子写真プロセスを用いて潜像担持体に画像形成する電子写真画像形成装置においては、プロセスカートリッジ方式が採用されている。プロセスカートリッジ方式においては、電子写真感光体及び電子写真感光体に作用するプロセス手段を一体的にカートリッジ化して、このカートリッジを画像形成装置本体に着脱可能に構成している。このプロセスカートリッジ方式によれば、装置のメンテナンスをサービスマンによらず、ユーザ自身で行うことが出来るので、格段に操作性を向上させることができる。そのため、このプロセスカートリッジ方式は、画像形成装置において広く用いられている。
このようなプロセスカートリッジ２００に内蔵される現像装置２１０の概略構成を図１５（ａ）に示す。図に示すように現像装置２１０において、回転可能に設けられた現像スリーブ２１０ｄの両端部に、所定の間隔を持って磁性体のシール部材（以下、磁気シール部材）２１０ｉを配置し、現像領域外へのトナーの流出を防止する方法が提案されている。
磁気シール部材２１０ｉは、図１５（ｂ）のような磁極パターンに着磁されている。そして、各々の磁力線に沿って形成されるトナーの穂立ちによる磁気ブラシによって現像スリーブ２１０ｄの外周面と、磁気シール部材２１０ｉの表面との間隔を埋め、トナーが現像領域外に流出するのを防止している。磁気シール部材２１０ｉの現像枠体２１０ｂ側の面も同様に着磁されており、磁気シール部材２１０ｉと磁気シール部材２１０ｉを固定している現像装置２１０との隙間からトナーが現像領域外に流出するのを防止している。
【０００３】
このような現像装置２１０の現像枠体２１０ｂは、トナーを電子写真感光体（以下、感光体ドラム）２０７に形成された静電潜像に付与するための現像スリーブ２１０ｄを配置する現像部２１０ｂ９と、トナーを収容するトナー収容部２１０ｂ１を有している。ここで、プロセスカートリッジ２００にはトナー収容部２１０ｂ１を封止するトナーシール部材２１０ｈが設けられている。
そして、プロセスカートリッジ２００の使用始めに現像スリーブ２１０ｄへトナーを排出する際は、まずトナーシール部材２１０ｈを外部から引き抜き除去して開封する操作を行う。それによりトナー収容部２１０ｂ１内に収納されているトナーを、開封された現像開口２１０ｂ１１から現像スリーブ２１０ｄ側へ排出させて補給する。このため用いるトナーシール部材２１０ｈは、一般的にトナーシールフィルムと呼ばれる、トナー収容部２１０ｂ１の現像開口２１０ｂ１１をシールする部材が用いられる。
【０００４】
ここで特許文献１では、トナーシール部材を現像装置外部から引き抜くことが出来るためのスリット（以下、トナーシール開口部）が現像枠体に設けられており、そこにトナーシールを挿通して、トナーシール部材の端部を現像装置外に露出させている。この構成においては、トナーシール部材挿通後、トナー洩れ防止用の弾性部材であるキャップ部材でトナーシール開口部を閉塞している。
【０００５】
特許文献２では、トナー収容部と現像部が別枠体で構成され、トナー収容枠体と現像枠体を結合する際に形成されるトナーシール開口部にトナーシール部材を挟み込むことでトナーシール部材の端部を現像装置外に露出させている。この構成においては、トナー収容枠体または現像枠体の一方のトナーシール部材と接触する部分に起毛状の端部シール部材を配置している。
【先行技術文献】
【特許文献】
【０００６】
【特許文献１】特開平９−２６７４３号公報
【特許文献２】特開２０００−７５６２０号公報
【発明の概要】
【発明が解決しようとする課題】
【０００７】
しかしながら上記の構成では、キャップ部材等のトナーをシールするための部品が必要となる。また、上記構成ではキャップ部材や端部シールでトナーシール開口部２１０を密着してシールする構成のため、トナーシール部材２１０ｈを引き抜くために必要な力が大きくなり、ユーザビリティが損なわれることが懸念される。
【０００８】
本発明は、トナーの収容室を封止するトナーシール部材を装置外部へ引き抜くための開口部を、部品点数を増やさず、組立てが容易で、トナーシール部材の引き抜き力を抑え、かつ、トナー封止機能を損なうことなく構成することを目的とする。
【課題を解決するための手段】
【０００９】
上記目的を達成するために本発明にあっては、
電子写真感光体に形成された静電潜像を現像するための磁性トナーを担持する現像剤担持体と、
磁性トナーを収容する第１収容室、及び、前記第１収容室から磁性トナーが供給される第２収容室であって前記第１収容室から供給された磁性トナーを前記現像剤担持体に担持させるために収容しておく第２収容室を有する現像枠体であって、前記現像剤担持体が回転可能に配設される現像枠体と、
前記現像剤担持体の長手方向両端部の外周面に対してそれぞれ隙間を介して前記現像枠体に取り付けられる一対の磁気シール部材であって、前記隙間に磁性トナーを担持するための磁力を発生させる一対の磁気シール部材と、
を有し、
前記第１収容室には、前記第１収容室内の磁性トナーを前記第２収容室に供給するための第１開口部、及び、未使用時に前記第１開口部を覆うように配置され前記第１開口部を封止するトナーシール部材であって、使用開始時に引き抜かれて前記第１開口部を開放するトナーシール部材が設けられ、
使用開始時に引き抜かれる前記トナーシール部材が通る第２開口部であって、未使用時には前記トナーシール部材の一部を現像装置外部に引き出しておくための第２開口部を有する現像装置において、
前記磁気シール部材により発生される磁力によって磁性トナーを担持させることで、前記第２開口部から前記現像装置外部への磁性トナーの移動を抑制するように、
前記第２開口部は、前記磁気シール部材の一部、及び前記現像枠体の一部で構成されていることを特徴とする。
【発明の効果】
【００１０】
本発明によれば、トナーの収容室を封止するトナーシール部材を装置外部へ引き抜くための開口部を、部品点数を増やさず、組立てが容易で、トナーシール部材の引き抜き力を抑え、かつ、トナー封止機能を損なうことなく構成することが可能となる。
【図面の簡単な説明】
【００１１】
【図１】実施例１のプロセスカートリッジの概略構成を示す図
【図２】トナーシール部材について説明するための図
【図３】実施例１の現像枠体と現像スリーブについて説明するための図
【図４】実施例１の現像装置の概略構成を示す図
【図５】実施例１のトナーシール部材の取り付け方法を説明する図
【図６】実施例２のプロセスカートリッジの要部を示す図
【図７】実施例３のプロセスカートリッジの要部を示す図
【図８】実施例３のプロセスカートリッジの要部を示す図
【図９】実施例３のプロセスカートリッジの要部を示す図
【図１０】実施例３のプロセスカートリッジの要部を示す図
【図１１】実施例４のプロセスカートリッジの要部を示す図
【図１２】実施例４のプロセスカートリッジの要部を示す図
【図１３】実施例４のプロセスカートリッジの要部を示す図
【図１４】実施例５のプロセスカートリッジの要部を示す図
【図１５】従来のプロセスカートリッジを示す図
【発明を実施するための形態】
【００１２】
以下に図面を参照して、この発明を実施するための形態を例示的に詳しく説明する。ただし、この実施の形態に記載されている構成部品の寸法、材質、形状それらの相対配置などは、発明が適用される装置の構成や各種条件により適宜変更されるべきものであり、この発明の範囲を以下の実施の形態に限定する趣旨のものではない。
以下に示す実施例では、現像剤として磁性トナー（以下、単にトナーと記す）が用いられている。また、実施例の断面図及び断面形状は、電子写真感光体に形成された静電潜像を現像するためのトナーを担持する現像剤担持体としての現像スリーブ１０ｄの回転軸線に垂直な（直交する）方向の断面を示すものとする。また、現像スリーブ１０ｄの回転軸線方向を長手方向とする。
【００１３】
（実施例１）
以下に、実施例１について説明する。
図１（ａ）は、本実施例のプロセスカートリッジの概略構成を示す断面図である。図１（ｂ）は、本実施例の画像形成装置の画像形成動作を説明するための概略構成図である。
まず、図１（ｂ）を参照して本実施例の画像形成装置の画像形成動作について説明する。帯電装置８により一様に帯電された電子写真感光体としてのドラム状の潜像担持体（以下、感光ドラム）７の表面上に、スキャナユニット４から画像情報に対応して出射されたレーザ光が照射され静電潜像が形成される。そして、この静電潜像は現像装置（現像手段）１０によってトナー像として現像された後、転写装置５によって記録材Ｐ上に転写される。そして、記録材Ｐ上のトナー像は、定着装置６で加熱処理され、記録材Ｐに定着されることで、記録材Ｐ上に画像が形成される。
【００１４】
次に、図１（ａ）を参照して本実施例に係るプロセスカートリッジについて説明する。本実施例において、プロセスカートリッジ１００は、感光ドラム７と少なくとも一つのプロセス手段とを備えている。ここでプロセス手段としては、例えば感光ドラム７の表面を帯電させる帯電装置８、感光ドラム７にトナー像を形成する現像装置１０、感光ドラム７に残留したトナーを除去するためのクリーニング手段１１などがある。本実施例のプロセスカートリッジ１００は、感光ドラム７の周囲に帯電装置８、及びクリーニング手段１１が配置され、クリーニング枠体１３、現像枠体１０ｂなどから成るハウジングで覆われることで一体的にカートリッジ化されている。
このようなプロセスカートリッジ１００に内蔵された現像装置１０は、トナー収容部１０ｂ１と現像部１０ｂ９を含む現像枠体１０ｂにて構成されている。ここで、トナー収容部１０ｂ１は、トナーを収容する第１収容室に相当し、現像部１０ｂ９は、現像スリーブ１０ｄに担持されるトナーを収容する第２収容室であってトナー収容部１０ｂ１（第１収容室内）からトナーが供給される第２収容室に相当する。
【００１５】
現像装置１０の現像枠体１０ｂには、現像部１０ｂ９（トナー収容部１０ｂ１）内のトナーを感光ドラム７へと担持し搬送するための現像スリーブ１０ｄが回転可能（回転自在）に設けられている。
トナー収容部１０ｂ１には、トナーを現像スリーブ１０ｄに送り出すための第１開口部としての現像開口部１０ｂ１１と、現像開口部１０ｂ１１を封止するトナーシール部材１０ｈが設けられている。
【００１６】
図２（ａ），（ｂ），（ｃ）は、トナーシール部材１０ｈについて説明するための図である。トナーシール部材１０ｈは、未使用時には現像開口部１０ｂ１１を覆うように配置され、トナー収容部１０ｂ１内の磁性トナーを封止する。そして、使用時にはトナーシール部材１０ｈの端部１０ｈ３が引っ張られ、トナーシール部材１０ｈが現像装置１０の外部へ引き抜かれることで、現像開口部１０ｂ１１を開放できるように構成されている。
【００１７】
具体的には図２（ａ）に示すように、フィルム等で構成されるシール状のトナーシール部材１０ｈが現像開口部１０ｂ１１に剥離可能に貼着され、反引き抜き側で折り返される構成がある。この構成では、トナーシール部材１０ｈの引き抜き側の端部１０ｈ３が引き抜かれることでトナーシール部材１０ｈが除去される。
また、図２（ｂ）に示すように、フィルム等で構成されるシール状のトナーシール部材１０ｈが現像開口部１０ｂ１１に剥離可能に貼着される構成であって、図２（ａ）の反引き抜き側で折り返されるものに対して折り返されない構成がある。この構成においても、トナーシール部材１０ｈの引き抜き側の端部１０ｈ３が引き抜かれることでトナーシール部材１０ｈが除去される。
また、図２（ｃ）に示すように、トナーシール部材１０ｈが現像部１０ｂ９とトナー収容部１０ｂ１で挟み込まれることで引き抜き可能に保持され、トナーシール部材１０ｈの端部１０ｈ３が引き抜かれることでトナーシール部材を除去する構成もある。
【００１８】
図３（ａ）は現像枠体１０ｂと現像スリーブ１０ｄについて説明するための図である。現像スリーブ１０ｄは、その内部に磁石部材１０ｃを有し、現像枠体１０ｂの長手方向両端部に支持される非駆動側ホルダ部材１０ｌと駆動側ホルダ部材１０ｍによって回転可能に支持されている。トナー収容部１０ｂ１から供給されたトナーは、磁石部材１０ｃの磁力により現像スリーブ１０ｄの表面に付着している。そして、現像スリーブ１０ｄ上のトナーは、現像ブレード１０ｅにより層厚が一定に規制されたあと、現像スリーブ１０ｄの回転に伴って感光ドラム７上の潜像と対向する位置においてこの潜像に付着することで現像が行われる。
【００１９】
図３（ｂ）は現像装置１０の部分断面図を示している。現像スリーブ１０ｄ長手方向の両端部には、現像領域外へトナーが流出するのを防止するために、現像スリーブ１０ｄの外周面とそれぞれ所定の間隔（隙間）を介して磁性体のシール部材、即ち、磁気シール部材１０ｉが一対設けられている。磁気シール部材１０ｉは、現像スリーブ１０ｄの外周面と磁気シール部材１０ｉとの隙間にトナーを担持するための磁力を発生させるものである。磁気シール部材１０ｉが配設されることで各々の磁力線に沿って形成されるトナーの穂立ちによる磁気ブラシによって、現像スリーブ１０ｄの外周面と、磁気シール部材１０ｉの表面との隙間が埋まることで、トナーが現像領域外に流出するのを防止している。
磁気シール部材１０ｉは、図３（ｂ）に示すように、現像スリーブ１０ｄの外周面に対して一定の間隔ｇを隔てて配置するために現像スリーブ１０ｄの両端部に巻装されるとともに、この状態で現像スリーブ１０ｄと共に現像枠体１０ｂに取り付けられている。
【００２０】
図３（ｃ）は現像枠体１０ｂの部分斜視図を示している。現像枠体１０ｂは磁気シール部材１０ｉの位置を決める第１位置決め突起１０ｂ３と第２位置決め突起１０ｂ４、磁気シール部材１０ｉの回転止めとなる回転止め面１０ｂ５、トナーシール開口部１０ｊの一
部となる開口形成部１０ｂ２を有している。ここで、トナーシール開口部１０ｊは、使用開始時に引き抜かれるトナーシール部材１０ｈが通る第２開口部であって、未使用時にはトナーシール部材１０ｈの一部（端部１０ｈ３）を現像装置外部に引き出しておく（露出させる）ための第２開口部に相当する。
また、現像枠体１０ｂの第１位置決め突起１０ｂ３の長手方向で現像開口部１０ｂ１１側の根元に磁気シール部材１０ｉの長手方向の位置を決める長手位置決め面１０ｂ６が設けられている。
【００２１】
図４（ａ）は現像装置１０の概略構成を示す断面図である。磁気シール部材１０ｉは、トナーシール開口部１０ｊの一部となる洩れ防止面１０ｉ４と現像枠体１０ｂに対して位置を決める第１位置決め面１０ｉ１と第２位置決め面１０ｉ２、回転止めとなる回転止め面１０ｉ３を有している。第１位置決め面１０ｉ１と第２位置決め面１０ｉ２は各々現像スリーブ１０ｄの回転中心Ａを中心とする円弧形状をしている。
磁気シール部材１０ｉの第１位置決め面１０ｉ１と第２位置決め面１０ｉ２が、それぞれ現像枠体１０ｂの第１位置決め突起１０ｂ３、第２位置決め突起１０ｂ４に接触することで磁気シール部材１０ｉの位置が決められた後、現像ブレード１０ｅが組み付けられる。このことで、現像ブレード１０ｅと磁気シール部材１０ｉの間に設けられたプッシュパッド１０ｋが圧縮され、その際、発生するプッシュパッド１０ｋの反発力で磁気シール部材１０ｉが現像スリーブ１０ｄの回転中心Ａを中心に回転する。これにより、回転止め面１０ｉ３が現像枠体１０ｂの回転止め面１０ｂ５に突き当たって磁気シール部材１０ｉの姿勢が決められる。
【００２２】
図４（ｂ）は現像装置１０を図４（ａ）のＺ方向から見た図である。磁気シール部材１０ｉは長手方向に対して長手位置決め面１０ｂ６に磁気シール部材１０ｉが突き当たることで位置が決まり、非駆動側ホルダ部材１０ｌの抜け止め面１０ｌ１が磁気シール部材１０ｉの抜け止めとなって固定されている。現像スリーブ１０ｄは図３（ａ）に示されるように、非駆動側ホルダ部材１０ｌ、駆動側ホルダ部材１０ｍに回転可能に支持されている。これにより、トナーシール開口部１０ｊ（の内周面）が、磁気シール部材１０ｉの一部である洩れ防止面１０ｉ４と、現像枠体１０ｂの一部である開口形成部１０ｂ２とで形成（構成）される。
図４（ｃ）は磁気シール部材１０ｉの洩れ防止面１０ｉ４の磁極パターンを示した図である。
【００２３】
本実施例では、磁気シール部材１０ｉにより発生される磁力によってトナーを担持させることで、トナーシール開口部１０ｊから現像装置１０外部へのトナーの移動を抑制することを特徴とするものである。すなわち、洩れ防止面１０ｉ４において各々の磁力線に沿って形成されるトナーの穂立ちによる磁気ブラシによって、洩れ防止面１０ｉ４と開口形成部１０ｂ２の間の隙間（トナーシール開口部１０ｊ）が埋められ、トナーが現像装置外へ流出するのを防止している。
【００２４】
上記のようにトナーシール開口部１０ｊを構成することで、トナーをシールする為のキャップ部材や端部シール部材等の封止部材が無くても、磁気シール部材１０ｉの洩れ防止面１０ｉ４の磁力により現像装置１０外へのトナー洩れを防止することが可能となる。
また、磁気シール部材１０ｉの洩れ防止面１０ｉ４の磁力により現像装置１０外へのトナー洩れを防止できるので、トナー封止機能を損なうことなく、トナーシール部材１０ｈを引き抜く際に必要になる力が少なくて済みユーザビリティ（利便性）を向上できる。
【００２５】
図５（ａ）は現像装置１０にトナーシール部材１０ｈを取り付ける方法を説明するための図である。図５（ａ）に示すように、上記の構成では、現像枠体１０ｂの開口形成部１０ｂ２にトナーシール部材１０ｈの端部１０ｈ３を配置し、その後、磁気シール部材１０
ｉを取り付ける組立て方法をとることができる。
これにより、トナーシール開口部１０ｊにトナーシール部材１０ｈを現像枠体１０ｂの開口形成部１０ｂ２上に置くだけで組立てが可能となり、容易に組立てることが可能となる。
【００２６】
図５（ｂ）は上記の構成と同様の効果を得ることができる磁気シール部材１０ｉの位置決め構成を示す現像装置１０の分解斜視図である。尚、説明のために現像スリーブ１０ｄは省略している。
この構成では、磁気シール部材１０ｉは非駆動側ホルダ部材１０ｌに設けられた位置決めボス１０ｌ２と回転止めボス１０ｌ３が、それぞれ磁気シール部材１０ｉに設けられた位置決め穴１０ｉ５及び回転止め穴１０ｉ６に嵌入する。更に、非駆動側ホルダ部材１０ｌに設けられた位置決めボス１０ｌ２と回転止めボス１０ｌ３が現像枠体１０ｂに設けられた第１枠体穴１０ｂ７及び第２枠体穴１０ｂ８に嵌合する。このことで非駆動側ホルダ部材１０ｌ及び磁気シール部材１０ｉは現像枠体１０ｂ位置決め、固定される。
このような磁気シール部材１０ｉの組立て構成でも前述の組立て方法と同様に容易なトナーシール部材１０ｈの組立てが可能となる。
【００２７】
（実施例２）
以下に、実施例２について説明する。本実施例において実施例１と同様の構成部分については同一の符号を付して、その説明は省略する。
【００２８】
図６（ａ）は本実施例の現像枠体１０ｂの部分斜視図である。トナー収容部１０ｂ１と現像部１０ｂ９が一体の現像枠体１０ｂで構成されており、現像枠体１０ｂはトナーシール部材１０ｈを現像装置１０外に露出させる際に通過させる枠体開口部１０ｂ１０を有している。
現像枠体１０ｂは第１位置決め突起１０ｂ３近傍に長手位置決め面１０ｂ６を有している。磁気シール部材１０ｉの長手方向は、磁気シール部材１０ｉの長手方向の幅が長手位置決め面１０ｂ６に係合することで位置が決まる構成となっている。
【００２９】
図６（ｂ）は現像装置１０において現像開口部１０ｂ１１を含む断面をとり、磁気シール部材１０ｉを見た場合の概略構成を示す図である。磁気シール部材１０ｉは洩れ防止面１０ｉ４を有しており、磁気シール部材１０ｉは漏れ防止面１０ｉ４で枠体開口部１０ｂ１０の一部を覆うように現像枠体１０ｂに固定されている。
本実施例では磁気シール部材１０ｉの洩れ防止面１０ｉ４と枠体開口部１０ｂ１０の一部で形成された隙間を、トナーシール部材１０ｈが通されトナーシール部材１０ｈの端部１０ｈ３を現像装置１０外部に露出させるためのトナーシール開口部１０ｊとしている。
【００３０】
上記のようにトナーシール開口部１０ｊを構成することで、本実施例においても実施例１同様の効果を得ることが可能となる。
【００３１】
（実施例３）
以下に、実施例３について説明する。本実施例において実施例１，２と同様の構成部分については同一の符号を付して、その説明は省略する。
【００３２】
図７（ａ）は本実施例の現像装置１０の概略構成を示す断面図である。図７（ｂ）は現像装置１０を図７（ａ）の点線Ｂで切った断面を矢印Ｘ方向から見た概略図である。
磁気シール部材１０ｉの洩れ防止面１０ｉ４は現像枠体１０ｂの開口形成部１０ｂ２方向に突出した凸部としての拭き取り突起１０ｇを有している。現像枠体１０ｂの開口形成部１０ｂ２には、拭き取り突起１０ｇが進入する拭き取り凹部１０ｆが設けられている。拭き取り凹部１０ｆは、拭き取り突起１０ｇを逃げ、かつ洩れ防止面１０ｉ４との所定の
距離を保つように構成されている。
図８（ａ）は磁気シール部材１０ｉの概略斜視図である。拭き取り突起１０ｇはトナーシール部材１０ｈ引き抜き方向に直交する方向の洩れ防止面１０ｉ４全体に延びている。
図８（ｂ）は現像枠体１０ｂの概略斜視図である。拭き取り凹部１０ｆはトナーシール部材１０ｈの引き抜き方向に直交する方向の開口形成部１０ｂ２全体に延びている。
【００３３】
図９（ａ）は現像枠体１０ｂの概略斜視図である。トナーシール部材１０ｈはフィルム状で帯状のシート部材で、トナーシール開口部１０ｊが形成される側の反対の端部で折り返して配置される折り返し部（中間部）１０ｈ１を有している。
未使用時において、帯状のトナーシール部材１０ｈの長手方向の一端と他端は、トナーシール部材１０ｈのトナーシール開口部１０ｊが設けられている側に配置される。トナーシール部材１０ｈの一端は、現像開口部１０ｂ１１のうち長手方向におけるトナーシール開口部１０ｊが配置されている側の端部に配置される。また、現像開口部１０ｂ１１のうち長手方向におけるトナーシール開口部１０ｊが配置されている側とは反対側の端部に折り返し部１０ｈ１が配置される。本実施例では、トナーシール部材１０ｈの一端から折り返し部１０ｈ１まで、現像開口部１０ｂ１１に貼着されることで、現像開口部１０ｂ１１が封止される。そして、トナーシール部材１０ｈは、折り返し部１０ｈ１で折り返されることで、トナーシール部材１０ｈの長手方向の他端である端部１０ｈ３がトナーシール開口部１０ｊを通って現像装置１０外部に引き出されて露出している。
【００３４】
図９（ｂ）は図７（ｂ）において、トナーシール部材１０ｈが引き抜かれている様子を示した図である（矢印Ｙは引き抜き方向を示している）。
トナーシール部材１０ｈの現像開口部１０ｂ１１に対向する面である現像開口面１０ｈ２はトナー収容部１０ｂ１から現像部１０ｂ９へ移動するトナーを封止するため、トナーと接触している。現像開口面１０ｈ２は、トナーシール部材１０ｈの一端から折り返し部１０ｈ１までの間の領域（部分）で、構成されている。ここで、現像開口面１０ｈ２は、未使用時に現像開口部１０ｂ１１を覆いトナー収容部１０ｂ１内のトナーの移動を抑制する被覆面に相当する。
トナーシール部材１０ｈは現像開口面１０ｈ２の裏面が拭き取り凹部１０ｆの第１角部１０ｆ１と第２角部１０ｆ２、現像開口面１０ｈ２が拭き取り突起１０ｇに接触しながら引き抜かれる。
【００３５】
上記のような構成によって、本実施例においては、実施例１で説明した効果に加えて、次のような効果を得ることができる。すなわち、トナーシール部材１０ｈが引き抜かれる（トナーシール開口部１０ｊを通る）際に、磁気シール部材１０ｉに設けられた拭き取り突起１０ｇが、トナーシール部材１０ｈの現像開口面１０ｈ２に付着したトナーを掻き取ることが出来る。ここで、拭き取り突起１０ｇはトナーシール部材１０ｈの引き抜き方向に直交する方向の洩れ防止面１０ｉ４全体に延びて設けられている。これにより、トナーシール部材１０ｈの引き抜き方向に直交する方向において、拭き取り突起１０ｇの長さは、トナーシール部材１０ｈの現像開口面１０ｈ２の長さよりも長くなるように構成されている。
このことで、トナーシール部材１０ｈが引き抜かれた際に、拭き取り突起１０ｇは、トナーシール部材１０ｈの現像開口面１０ｈ２の全域と当接することができ、現像開口面１０ｈ２に付着したトナーをより確実に掻き取ることが出来る。
従って、トナーをシールする為のキャップ部材等が無くても、トナーシール部材１０ｈを引き抜く際に現像開口面１０ｈ２に付着したトナーを掻き取ることが可能となる。
【００３６】
図１０は磁気シール部材１０ｉの洩れ防止面１０ｉ４に突起を複数設けた形態を示す図であり、（ａ）は概略斜視図、（ｂ）は概略断面図である。図１０（ａ），（ｂ）に示す様に、磁気シール部材１０ｉの洩れ防止面１０ｉ４に突起を複数設けることで、より確実
にトナーを掻き取ることが出来る。
【００３７】
なお、本実施例では、磁気シール部材１０ｉの洩れ防止面１０ｉ４に拭き取り突起１０ｇが設けられるものであったが、これに限るものではない。すなわち、拭き取り突起１０ｇは、トナーシール部材１０ｈに付着しているトナーを掻き落とすために、磁気シール部材１０ｉの洩れ防止面１０ｉ４と、現像枠体１０ｂの開口形成部１０ｂ２とのうち少なくともいずれか一方に設けられるものであればよい。洩れ防止面１０ｉ４と開口形成部１０ｂ２とのうち、トナーシール部材１０ｈがトナーシール開口部１０ｊを通る際に現像開口面１０ｈ２に対向する方に拭き取り突起１０ｇが設けられるのが、より好ましい。また、本実施例では、磁気シール部材１０ｉの洩れ防止面１０ｉ４と、現像枠体１０ｂの開口形成部１０ｂ２とのうち他方として、開口形成部１０ｂ２に拭き取り凹部１０ｆが設けられているが、これに限るものではない。すなわち、開口形成部１０ｂ２に拭き取り凹部１０ｆが設けられていない構成であってもよい。
【００３８】
（実施例４）
以下に、実施例４について説明する。本実施例において実施例１〜３と同様の構成部分については同一の符号を付して、その説明は省略する。実施例３では、磁気シール部材１０ｉの洩れ防止面１０ｉ４に拭き取り突起１０ｇが設けられ、現像枠体１０ｂの開口形成部１０ｂ２に拭き取り凹部１０ｆが設けられるものであった。これに対して本実施例では、現像枠体１０ｂの開口形成部１０ｂ２に拭き取り突起１０ｇが設けられ、磁気シール部材１０ｉの洩れ防止面１０ｉ４に拭き取り凹部１０ｆが設けられるものである。ここで、本実施例では説明の便宜上、現像枠体１０ｂの開口形成部１０ｂ２に設けられた突起（凸部）を拭き取り突起１０ｇとし、磁気シール部材１０ｉの洩れ防止面１０ｉ４に設けられた凹部を拭き取り凹部１０ｆとしている。
【００３９】
図１１（ａ）は本実施例の現像装置１０の概略断面図である。図１１（ｂ）は現像装置１０を図１１（ａ）の点線Ｂで切った断面を矢印Ｘ方向から見た概略図である。
現像枠体１０ｂの開口形成部１０ｂ２は磁気シール部材１０ｉの洩れ防止面１０ｉ４方向に突出した拭き取り突起１０ｇを有している。磁気シール部材１０ｉの洩れ防止面１０ｉ４には、拭き取り突起１０ｇが進入する拭き取り凹部１０ｆが設けられている。拭き取り凹部１０ｆは、拭き取り突起１０ｇを逃げ、かつ開口形成部１０ｂ２との所定の距離を保つように構成されている。
【００４０】
図１２（ａ）は磁気シール部材１０ｉの概略斜視図である。拭き取り凹部１０ｆはトナーシール部材１０ｈの引き抜き方向に直交する方向の洩れ防止面１０ｉ４全体に延びている。図１２（ｂ）は現像枠体１０ｂの概略斜視図である。拭き取り突起１０ｇは洩れ防止面１０ｉ４のトナーシール部材１０ｈの引き抜き方向に直交する方向の開口形成部１０ｂ２全体に延びている。
【００４１】
図１３（ａ）は現像枠体１０ｂの概略斜視図である。トナーシール部材１０ｈは、フィルム状のシート部材で構成されている。そして、トナーシール部材１０ｈは、現像枠体１０ｂと、現像枠体１０ｂに溶着等で固定されたトナーシール固定部材１０ｂ１２とで、長手方向にスライド可能に挟まれることで、現像枠体１０ｂに配設されている。トナーシール部材１０ｈの端部１０ｈ３は、トナーシール開口部１０ｊを通って現像装置１０外部に引き出されている。トナーシール部材１０ｈの現像開口部１０ｂ１１に対向する面である現像開口面１０ｈ２は、トナー収容部１０ｂ１から現像部１０ｂ９へ移動するトナーを封止するため、トナーと接触している。
図１３（ｂ）は図１１（ｂ）において、トナーシール部材１０ｈが引き抜かれている様子を示した図である（矢印Ｙは引き抜き方向を示している）。トナーシール部材１０ｈは現像開口面１０ｈ２の裏面が拭き取り凹部１０ｆの第１角部１０ｆ１と第２角部１０ｆ２
、現像開口面１０ｈ２が拭き取り突起１０ｇに接触しながら引き抜かれる。
【００４２】
上記のような構成によって、実施例３同様に現像枠体１０ｂに設けられた拭き取り突起１０ｇがトナーシール部材１０ｈの現像開口面１０ｈ２に付着したトナーを掻き取るが出来る。従って、トナーをシールする為のキャップ部材が無くても、トナーシール部材を引き抜く際に現像開口面１０ｈ２に付着したトナーを掻き取ることが可能となる。
【００４３】
（実施例５）
以下に、実施例５について説明する。本実施例において実施例１〜４と同様の構成部分については同一の符号を付して、その説明は省略する。
【００４４】
図１４（ａ）は実施例５の磁気シール部材１０ｉの概略側面図である。磁気シール部材１０ｉは貫通スリット１０ｉ７を有している。
図１４（ｂ）は現像装置１０の概略断面図である。本実施例では、貫通スリット１０ｉ７を、上述した実施例のトナーシール開口部１０ｊに相当するものとしてトナーシール部材１０ｈの端部１０ｈ３を通し、現像装置１０外部から引き抜き可能に構成している。
図１４（ｃ）は磁気シール部材１０ｉの磁極パターンを示す概略図である。各々の磁力線に沿って形成されるトナーの穂立ちによる磁気ブラシによって磁気シール部材１０ｉの貫通スリット１０ｉ７を埋め、トナーが現像装置１０外へ流出するのを防止している。
【００４５】
上記のような構成によって、トナーシール開口部１０ｊとなる磁気シール部材１０ｉの貫通スリット１０ｉ７の磁力により現像装置１０外へのトナー洩れを防止できるので、本実施例においても、上述した実施例１同様の効果を得ることができる。
【００４６】
以上、実施例１〜５に示した構成を採用することにより、トナー封止機能を損なわないで、部品を増やさず、かつ装置での組立てが容易で、トナーシール部材１０ｈの引き抜き力が小さくてすむトナーシール開口部１０ｊを構成することができる。
【符号の説明】
【００４７】
７  感光ドラム  ；１０  現像装置  ；  １０ｂ  現像枠体；  １０ｂ１  トナー収容部  ；  １０ｂ２  開口形成部  ；  １０ｂ９  現像部  ；  １０ｂ１１  現像開口部；
１０ｄ  現像スリーブ  ；  １０ｈ  トナーシール部材  ；  １０ｈ３  端部  ；  １０ｉ  磁気シール部材  ；  １０ｉ４  洩れ防止面  ；  １０ｊ  トナーシール開口部
【図１】
2011227297.tif 000003
【図２】
2011227297.tif 000004
【図３】
2011227297.tif 000005
【図４】
2011227297.tif 000006
【図５】
2011227297.tif 000007
【図６】
2011227297.tif 000008
【図７】
2011227297.tif 000009
【図８】
2011227297.tif 000010
【図９】
2011227297.tif 000011
【図１０】
2011227297.tif 000012
【図１１】
2011227297.tif 000013
【図１２】
2011227297.tif 000014
【図１３】
2011227297.tif 000015
【図１４】
2011227297.tif 000016
【図１５】
2011227297.tif 000017
【手続補正書】
【提出日】平成23年4月7日(2011.4.7)
【手続補正１】
【補正対象書類名】特許請求の範囲
【補正対象項目名】全文
【補正方法】変更
【補正の内容】
【特許請求の範囲】
【請求項１】
磁性現像剤を担持し像担持体に現像剤像を形成する現像剤担持体と、
前記磁性現像剤を収容する第１収容室と、前記現像剤担持体が配置され、前記第１収容室から第１開口部を通って供給された前記磁性現像剤を収容する第２収容室とを有する現像枠体と、
前記第１開口部を封止するように設けられ、使用開始に際して第２開口部を通って除去される封止部材と、
前記現像剤担持体の長手方向端部と前記現像枠体との間に設けられ、前記第２開口部の少なくとも一部を構成する磁気シール部材と、
を有することを特徴とする現像装置。
【請求項２】
前記第２開口部には、前記封止部材が前記第２開口部を通る際に前記封止部材に付着している磁性現像剤を掻き落とす凸部が設けられていることを特徴とする請求項１に記載の現像装置。
【請求項３】
前記第２開口部には、前記凸部が進入する凹部が設けられていることを特徴とする請求項２に記載の現像装置。
【請求項４】
磁性現像剤を担持し像担持体に現像剤像を形成する現像剤担持体と、
前記磁性現像剤を収容する第１収容室と、前記現像剤担持体が配置され、前記第１収容室から第１開口部を通って供給された前記磁性現像剤を収容する第２収容室とを有する現像枠体と、
前記第１開口部を封止するように設けられ、使用開始に際して第２開口部を通って除去される封止部材と、
前記現像剤担持体の長手方向端部と前記現像枠体との間に設けられ、前記磁性現像剤が前記第２開口部から現像装置外部へ移動することを抑制する磁気シール部材と、
を有することを特徴とする現像装置。
【請求項５】
前記第２開口部には、前記封止部材が前記第２開口部を通る際に前記封止部材に付着している磁性現像剤を掻き落とす凸部が設けられていることを特徴とする請求項４に記載の現像装置。
【請求項６】
前記第２開口部には、前記凸部が進入する凹部が設けられていることを特徴とする請求項５に記載の現像装置。
【請求項７】
像担持体と、
請求項１〜６のいずれかに記載の現像装置と、
を有することを特徴とする画像形成装置。
【手続補正２】
【補正対象書類名】明細書
【補正対象項目名】０００９
【補正方法】変更
【補正の内容】
【０００９】
上記目的を達成するために本発明にあっては、
磁性現像剤を担持し像担持体に現像剤像を形成する現像剤担持体と、
前記磁性現像剤を収容する第１収容室と、前記現像剤担持体が配置され、前記第１収容室から第１開口部を通って供給された前記磁性現像剤を収容する第２収容室とを有する現像枠体と、
前記第１開口部を封止するように設けられ、使用開始に際して第２開口部を通って除去される封止部材と、
前記現像剤担持体の長手方向端部と前記現像枠体との間に設けられ、前記第２開口部の少なくとも一部を構成する磁気シール部材と、
を有することを特徴とする。